(57)【要約】【課題】  センタ装置に内蔵されたプログラムの変更を行うことなく、異なる伝送方式を有する端末装置と送受信を行うことができる電力監視制御用伝送システム、伝送装置、伝送装置用プログラムおよび伝送方法を提供する。【解決手段】  電力監視制御用伝送システム１の伝送装置２は、第１の送受信部２１から端末装置３に、複数の伝送方式でテスト電文を送信する第１の送信処理と、第１の送信処理により複数の伝送方式で送信されたテスト電文の少なくとも一つに応答した、端末装置３から送信された返信電文を、第１の送受信部２１により受信する第１の受信処理と、第１の受信処理にて受信した、返信電文を送信した端末装置３の伝送方式と、端末装置３とを関連付けて記憶する変換テーブルを作成するテーブル作成処理と、を実行する制御部２４を有する。【選択図】  図１
2019121943.tif 000002
【特許請求の範囲】
【請求項１】
制御対象を監視し、前記制御対象の制御を要求する要求電文を送信し、
対応した指令電文を受信し、前記指令電文に基づき前記制御対象の制御を行うとともに、
複数の伝送方式で送信されたテスト電文のうち、合致した伝送方式のテスト電文に応答し、返信電文を送信する、
端末装置と、
制御を要求する前記要求電文を受信し、
受信した前記要求電文に対応した、前記指令電文を送信する、
センタ装置と、
前記端末装置との送受信を行う第１の送受信部と、
前記センタ装置との送受信を行う第２の送受信部と、
前記第１の送受信部、前記第２の送受信部を制御する制御部と、を備え、
前記制御部は、
前記第１の送受信部から前記端末装置に、複数の伝送方式でテスト電文を送信する第１の送信処理と、
前記第１の送信処理により前記複数の伝送方式で送信された前記テスト電文の少なくとも一つに応答した、前記端末装置から送信された返信電文を、前記第１の送受信部により受信する第１の受信処理と、
前記第１の受信処理にて受信した、前記返信電文を送信した前記端末装置の伝送方式と、前記端末装置とを関連付けて記憶する変換テーブルを作成するテーブル作成処理と、
前記端末装置からの要求電文を、前記第１の送受信部により受信する第２の受信処理と、
前記第２の受信処理により受信した要求電文を、前記テーブル作成処理により作成された前記変換テーブルに基づき、センタ装置の伝送方式に変換する第１の変換処理と、
前記第１の変換処理で変換された伝送方式にて前記要求電文を、前記第２の送受信部から前記センタ装置に送信する第２の送信処理と、
前記第２の送信処理により送信された前記要求電文に応答した、前記センタ装置にて作成された指令電文を、前記第２の送受信部により受信する第３の受信処理と、
前記第３の受信処理にて受信した前記指令電文を、前記変換テーブルに基づき前記端末装置に合致した伝送方式に変換する第２の変換処理と、
前記第２の変換処理で変換された伝送方式にて前記指令電文を、前記第１の送受信部から前記端末装置に送信する第３の送信処理と、
を実行する、伝送装置と、
を有する電力監視制御用伝送システム。
【請求項２】
前記第１の送信処理、前記第１の受信処理、および前記テーブル作成処理は周期的に実行され、前記変換テーブルは、周期的に更新される、
請求項１に記載の電力監視制御用伝送システム。
【請求項３】
前記伝送方式は、伝送プロトコルである、
請求項１または２に記載の電力監視制御用伝送システム。
【請求項４】
前記伝送方式は、伝送フォーマット、伝送速度、伝送コードのうちの少なくとも一つである、
請求項１または２に記載の電力監視制御用伝送システム。
【請求項５】
端末装置との送受信を行う第１の送受信部と、
センタ装置との送受信を行う第２の送受信部と、
前記第１の送受信部、前記第２の送受信部を制御する制御部と、を備え、
前記制御部は、
前記第１の送受信部から前記端末装置に、複数の伝送方式でテスト電文を送信する第１の送信処理と、
前記第１の送信処理により前記複数の伝送方式で送信された前記テスト電文の少なくとも一つに応答した、前記端末装置から送信された返信電文を、前記第１の送受信部により受信する第１の受信処理と、
前記第１の受信処理にて受信した、前記返信電文を送信した前記端末装置の伝送方式と、前記端末装置とを関連付けて記憶する変換テーブルを作成するテーブル作成処理と、
前記端末装置からの要求電文を、前記第１の送受信部により受信する第２の受信処理と、
前記第２の受信処理により受信した要求電文を、前記テーブル作成処理により作成された前記変換テーブルに基づき、センタ装置の伝送方式に変換する第１の変換処理と、
前記第１の変換処理で変換された伝送方式にて前記要求電文を、前記第２の送受信部から前記センタ装置に送信する第２の送信処理と、
前記第２の送信処理により送信された前記要求電文に応答した、前記センタ装置にて作成された指令電文を、前記第２の送受信部により受信する第３の受信処理と、
前記第３の受信処理にて受信した前記指令電文を、前記変換テーブルに基づき前記端末装置に合致した伝送方式に変換する第２の変換処理と、
前記第２の変換処理で変換された伝送方式にて前記指令電文を、前記第１の送受信部から前記端末装置に送信する第３の送信処理と、
を実行する、伝送装置。
【請求項６】
端末装置に、複数の伝送方式でテスト電文を送信する第１の送信ステップと、
前記第１の送信ステップにより前記複数の伝送方式で送信された前記テスト電文の少なくとも一つに応答した、前記端末装置から送信された返信電文を受信する第１の受信ステップと、
前記第１の受信ステップにて受信した、前記返信電文を送信した前記端末装置の伝送方式と、前記端末装置とを関連付けて記憶する変換テーブルを作成するテーブル作成ステップと、
前記端末装置からの要求電文を、受信する第２の受信ステップと、
前記第２の受信ステップにより受信した要求電文を、前記テーブル作成ステップにより作成された前記変換テーブルに基づき、センタ装置の伝送方式に変換する第１の変換ステップと、
前記第１の変換ステップで変換された伝送方式にて前記要求電文を、前記センタ装置に送信する第２の送信ステップと、
前記第２の送信ステップにより送信された前記要求電文に応答した、前記センタ装置にて作成された指令電文を、受信する第３の受信ステップと、
前記第３の受信ステップにて受信した前記指令電文を、前記変換テーブルに基づき前記端末装置に合致した伝送方式に変換する第２の変換ステップと、
前記第２の変換ステップで変換された伝送方式にて前記指令電文を、前記端末装置に送信する第３の送信ステップと、
を有する、伝送装置用プログラム。
【請求項７】
端末装置に、複数の伝送方式でテスト電文を送信する第１の送信手順と、
前記第１の送信手順により前記複数の伝送方式で送信された前記テスト電文の少なくとも一つに応答した、前記端末装置から送信された返信電文を受信する第１の受信手順と、
前記第１の受信手順にて受信した、前記返信電文を送信した前記端末装置の伝送方式と、前記端末装置とを関連付けて記憶する変換テーブルを作成するテーブル作成手順と、
前記端末装置からの要求電文を、受信する第２の受信手順と、
前記第２の受信手順により受信した要求電文を、前記テーブル作成手順により作成された前記変換テーブルに基づき、センタ装置の伝送方式に変換する第１の変換手順と、
前記第１の変換手順で変換された伝送方式にて前記要求電文を、前記センタ装置に送信する第２の送信手順と、
前記第２の送信手順により送信された前記要求電文に応答した、前記センタ装置にて作成された指令電文を、受信する第３の受信手順と、
前記第３の受信手順にて受信した前記指令電文を、前記変換テーブルに基づき前記端末装置に合致した伝送方式に変換する第２の変換手順と、
前記第２の変換手順で変換された伝送方式にて前記指令電文を、前記端末装置に送信する第３の送信手順と、
を実行する、伝送方法。
【発明の詳細な説明】
【技術分野】
【０００１】
本実施形態は電力設備の監視制御を行う電力監視制御用伝送システム、伝送装置、伝送装置用プログラムおよび伝送方法に関する。
【背景技術】
【０００２】
電力を安定供給するために受変電設備には電力監視制御システムが設置される。この種の電力監視制御システムとして、受変電設備の状態を検出し、受変電設備の制御を行う端末装置、および端末装置に対し電文にて指令を送信するセンタ装置を有するシステムが知られている。
【先行技術文献】
【特許文献】
【０００３】
【特許文献１】特開２０１０−１７８０５８公報
【特許文献２】特開平１０−１０８２７２公報
【発明の概要】
【発明が解決しようとする課題】
【０００４】
電力を安定供給するために受変電設備には電力監視制御システムが設置される。電力監視制御システムは、受変電設備の状態を検出し、受変電設備の制御を行う。電力監視制御システムは、受変電設備の近傍に設置される端末装置、および制御室等に設置されるセンタ装置を有する。端末装置は、受変電設備の状態を検出し、電文にてセンタ装置に送信する制御機器、計測機器等により構成される。センタ装置は、端末装置から送信された電文に応答し、端末装置に対し電文にて指令を送信する。
【０００５】
しかしながら、制御機器、計測機器等により構成された端末装置は、メーカごとに異なるハードウェアおよびソフトウェア仕様を有している。このため、端末装置と電文の送受信を行う伝送手順（プロトコル）等の伝送方式は、端末装置ごとにまちまちであった。
【０００６】
このため、接続される端末装置に応じ、センタ装置の伝送方式を変更する必要があった。センタ装置の伝送方式の変更は、センタ装置に内蔵されたプログラムを変更することにより行われる。端末装置が変更される都度、端末装置に応じ、センタ装置に内蔵されたプログラムを変更することは、煩雑であり不都合であった。
【０００７】
また、センタ装置に内蔵されたプログラムは、実行すべき制御を演算して端末装置に対する指令を作成する。このため、センタ装置に内蔵されたプログラムを変更することは、プログラムの、不測の動作不良を招く恐れがあった。プログラムの不測の動作不良を防ぐために、センタ装置の動作試験は、当然行われるが、実行すべき制御の演算を含む、全てのセンタ装置の動作にかかる試験を行うことは、煩雑であり不都合であった。
【０００８】
さらに、センタ装置に、複数の異なる伝送方式を有する端末装置が接続される場合、センタ装置に内蔵されたプログラムは、複数の異なる伝送方式に対応するように変更される。このためセンタ装置に内蔵されたプログラムの容量が大きくなり、不測の動作遅延、動作不良を招く恐れがあり不都合であった。
【０００９】
本実施形態は、上記のような不都合を解決するために、センタ装置に内蔵されたプログラムの変更を行うことなく、異なる伝送方式を有する端末装置と送受信を行うことができる電力監視制御用伝送システム、伝送装置、伝送装置用プログラムおよび伝送方法を提供することを目的とする。
【課題を解決するための手段】
【００１０】
本実施形態の電力監視制御用伝送システムは、次のような構成を有することを特徴とする。
（１）次のような特徴を有する端末装置。
（１−１）制御対象を監視し、前記制御対象の制御を要求する要求電文を送信する。
（１−２）対応した指令電文を受信し、前記指令電文に基づき前記制御対象の制御を行う。
（１−３）複数の伝送方式で送信されたテスト電文のうち、合致した伝送方式のテスト電文に応答し、返信電文を送信する。
【００１１】
（２）次のような特徴を有するセンタ装置。
（２−１）制御を要求する前記要求電文を受信する。
（２−２）受信した前記要求電文に対応した、前記指令電文を送信する。
【００１２】
（３）次のような特徴を有する伝送装置。
（３−１）前記端末装置との送受信を行う第１の送受信部。
（３−２）前記センタ装置との送受信を行う第２の送受信部。
（３−３）前記第１の送受信部、前記第２の送受信部を制御する制御部。
【００１３】
（４）伝送装置の制御部は、次のような処理を実行する。
（４−１）前記第１の送受信部から前記端末装置に、複数の伝送方式でテスト電文を送信する第１の送信処理。
（４−２）前記第１の送信処理により前記複数の伝送方式で送信された前記テスト電文の少なくとも一つに応答した、前記端末装置から送信された返信電文を、前記第１の送受信部により受信する第1の受信処理。
【００１４】
（４−３）前記第１の受信処理にて受信した、前記返信電文を送信した前記端末装置の伝送方式と、前記端末装置とを関連付けて記憶する変換テーブルを作成するテーブル作成処理。
（４−４）前記端末装置からの要求電文を、前記第１の送受信部により受信する第２の受信処理。
【００１５】
（４−５）前記第２の受信処理により受信した要求電文を、前記テーブル作成処理により作成された前記変換テーブルに基づき、センタ装置の伝送方式に変換する第１の変換処理。
（４−６）前記第１の変換処理で変換された伝送方式にて前記要求電文を、前記第２の送受信部から前記センタ装置に送信する第２の送信処理。
【００１６】
（４−７）前記第２の送信処理により送信された前記要求電文に応答した、前記センタ装置にて作成された指令電文を、前記第２の送受信部により受信する第３の受信処理。
（４−８）前記第３の受信処理にて受信した前記指令電文を、前記変換テーブルに基づき前記端末装置に合致した伝送方式に変換する第２の変換処理。
【００１７】
（４−９）前記第２の変換処理で変換された伝送方式にて前記指令電文を、前記第１の送受信部から前記端末装置に送信する第３の送信処理。
また、上記の特徴を有する伝送装置、伝送装置用プログラム、伝送方法も本実施形態に含まれる。
【図面の簡単な説明】
【００１８】
【図１】第１実施形態にかかる電力監視制御用伝送システムを示す図
【図２】第１実施形態にかかる伝送装置の、変換テーブル作成プログラムのフローを示す図
【図３】第１実施形態にかかる伝送装置の、伝送方式の変換プログラムのフローを示す図
【図４】第１実施形態にかかる変換テーブルを示す図
【発明を実施するための形態】
【００１９】
［１．第１実施形態］
［１−１．構成］
図１を参照して本実施形態の一例としての電力監視制御用伝送システム１について説明する。
【００２０】
（１）電力監視制御用伝送システム１の全体構成
電力監視制御用伝送システム１は、電力を安定供給するために工場、ビル、病院、学校等に設置され、受変電設備の監視制御を行うシステムである。電力監視制御用伝送システム１は、伝送装置２、端末装置３（３ａ、３ｂ、３ｃ）、センタ装置４を有する。センタ装置４は、伝送線８より伝送装置２に接続される。端末装置３（３ａ、３ｂ、３ｃ）は、伝送線９（９ａ、９ｂ、９ｃ）により伝送装置２に接続される。
【００２１】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００２２】
電力監視制御用伝送システム１において、以下の信号またはデータが、送受信または記憶される。
テスト電文Ｍ１
返信電文Ｍ２
要求電文Ｍ３
指令電文Ｍ４
変換テーブルＴ１
【００２３】
端末装置３は、制御機器、計測機器等のいわゆる入出力装置により構成され、開閉器、変圧器等の受変電設備６に近接して配置される。端末装置３は、電流、電圧、周波数、電力、温度等の受変電設備６の状態を検出し、伝送装置２を介し制御を要求する要求電文Ｍ３をセンタ装置４に送信する。また、端末装置３は、伝送装置２を介しセンタ装置４から送信された指令電文Ｍ４に基づき、受変電設備６（６ａ、６ｂ、６ｃ）の制御を行う。
【００２４】
センタ装置４は、いわゆるシーケンサにより構成され、工場、ビル、病院、学校の制御室等に配置される。センタ装置４は、伝送装置２を介し端末装置３から送信された、制御を要求する要求電文Ｍ３を受信し、伝送装置２を介し端末装置３に対応した指令電文Ｍ４を送信する。伝送装置２は、センタ装置４とともに制御室等に配置される。
【００２５】
（２）伝送装置２の構成
伝送装置２は、電力監視制御用伝送システム１と端末装置３との伝送の中継を行ういわゆるゲートウェイ装置である。伝送装置２は、送受信部２１、送受信部２２、記憶部２３、制御部２４を有する。送受信部２１が請求項における第１の送受信部に、送受信部２２が請求項における第２の送受信部に相当する。
【００２６】
（送受信部２１）
送受信部２１は、ローカル通信用の送受信回路により構成される。送受信部２１は、伝送線９を介し端末装置３に接続される。本実施形態では、３つの端末装置３ａ、３ｂ、３ｃが、それぞれ伝送線９ａ、９ｂ、９ｃを介し送受信部２１に接続される。
【００２７】
送受信部２１は、送受信を制御部２４に制御される。送受信部２１は、制御部２４に制御され、伝送線９を介し端末装置３にテスト電文Ｍ１、指令電文Ｍ４を送信する。送受信部２１は、伝送線９を介し端末装置３から、返信電文Ｍ２、要求電文Ｍ３を受信し制御部２４に出力する。
【００２８】
（送受信部２２）
送受信部２２は、ローカル通信用の送受信回路により構成される。送受信部２２は、伝送線８を介しセンタ装置４に接続される。
【００２９】
送受信部２２は、送受信を制御部２４に制御される。送受信部２２は、制御部２４に制御され、伝送線８を介しセンタ装置４に要求電文Ｍ３を送信する。送受信部２２は、伝送線８を介しセンタ装置４から、指令電文Ｍ４を受信し制御部２４に出力する。
【００３０】
（記憶部２３）
記憶部２３は、半導体メモリやハードディスクのような記憶媒体にて構成される。記憶部２３は、制御部２４によりデータの記憶および読出しが制御される。記憶部２３は、変換テーブルＴ１を記憶する。
【００３１】
（制御部２４）
制御部２４は、マイクロコンピュータにより構成される。制御部２４は、後述するコンピュータプログラムを内蔵する。制御部２４は、送受信部２１、送受信部２２、記憶部２３に接続される。制御部２４は、送受信部２１、送受信部２２、記憶部２３に対し、以下の演算および制御を行う。
【００３２】
（Ａ１）送受信部２１に対する制御
制御部２４は、伝送線９を介し端末装置３にテスト電文Ｍ１、指令電文Ｍ４を送信するように、送受信部２１を制御する。また、制御部２４は、伝送線９を介し端末装置３から、返信電文Ｍ２、要求電文Ｍ３を受信するように、送受信部２１を制御する。
【００３３】
指令電文Ｍ４は、制御部２４により、端末装置３に合致した伝送方式に変換されて送信される。また、テスト電文Ｍ１は、複数の伝送方式にて送信される。
【００３４】
（Ａ２）送受信部２２に対する制御
制御部２４は、伝送線８を介しセンタ装置４に要求電文Ｍ３を送信するように、送受信部２２を制御する。また、制御部２４は、伝送線８を介しセンタ装置４から、指令電文Ｍ４を受信するように、送受信部２２を制御する。
【００３５】
要求電文Ｍ３は、制御部２４により、センタ装置４に合致した伝送方式に変換されて送信される。
【００３６】
（Ａ３）記憶部２３に対する制御
制御部２４は、記憶部２３に、変換テーブルＴ１を記憶させる。また、制御部２４は、記憶部２３から、変換テーブルＴ１を読み出す。
【００３７】
（Ａ４）その他の演算
制御部２４は、送受信部２１から複数の伝送方式で送信されたテスト電文Ｍ１の少なくとも一つに応答した端末装置３から送信された返信電文Ｍ２を受信し、返信電文Ｍ２を送信した端末装置３の伝送方式と、端末装置３とを関連付けた変換テーブルＴ１を作成する。変換テーブルＴ１は、前述のとおり記憶部２３に記憶される。
【００３８】
また、制御部２４は、送受信部２２によりセンタ装置４から受信した指令電文Ｍ４を、端末装置３に合致した伝送方式に変換し、送受信部２１から端末装置３に送信する。また、制御部２４は、テスト電文Ｍ１を、予め設定された複数の伝送方式にて送受信部２１から端末装置３に送信する。
【００３９】
また、制御部２４は、送受信部２１により端末装置３から受信した要求電文Ｍ３を、センタ装置４に合致した伝送方式に変換し、送受信部２２からセンタ装置４に送信する。
【００４０】
（端末装置３）
端末装置３は、マイクロコンピュータ等により構成された装置である。端末装置３は、制御機器、計測機器等のいわゆる入出力装置を構成し、受変電設備６に近接して配置される。端末装置３は、受変電設備６の状態を検出し、制御を要求する要求電文Ｍ３を伝送装置２に送信する。また、端末装置３は、伝送装置２から送信された指令電文Ｍ４を受信し、指令電文Ｍ４に基づき、受変電設備６の制御を行う。
【００４１】
端末装置３には、伝送装置２の送受信部２１から複数の伝送方式で、テスト電文Ｍ１が送信される。端末装置３は、複数の伝送方式で送信されたテスト電文Ｍ１のうち、端末装置３の伝送方式と合致する伝送方式で送信された、少なくとも一つのテスト電文Ｍ１に応答し、返信電文Ｍ２を送信する。
【００４２】
（センタ装置４）
センタ装置４は、マイクロコンピュータ等により構成された装置である。センタ装置４は、いわゆるシーケンサを構成し、工場、ビル、病院、学校の制御室等に配置される。センタ装置４は、伝送装置２から送信された、制御を要求する要求電文Ｍ３を受信し、伝送装置２に、端末装置３に対応した指令電文Ｍ４を送信する。指令電文Ｍ４は、端末装置３に接続された受配電設備６の制御手順を指令する。
【００４３】
（受配電設備６）
受配電設備６は、開閉器、遮断器、断路器、計器用変圧器変流器、計測器、制御機器等の電力保護管理用の設備である。受配電設備６は、端末装置３に接続され、監視制御される。受配電設備６は、電力の給電線に配置され、端末装置３とともに、配電室等の収納盤５に格納される。
【００４４】
［１−２．作用］
次に、本実施形態の電力監視制御システム１の作用を、図１〜図４に基づき説明する。
【００４５】
センタ装置４と端末装置３は異なる伝送方式にて伝送を行う。制御機器、計測機器等により構成された端末装置３は、メーカごとに異なるハードウェアおよびソフトウェア仕様を有している。このため、端末装置の伝送方式は、端末装置ごとにまちまちである。電力監視制御用伝送システム１の伝送装置２は、センタ装置４と端末装置３との伝送の中継を行う。
【００４６】
伝送装置２は、端末装置３から端末装置３の伝送方式で送信された電文を、センタ装置４の伝送方式に変換し、センタ装置４に送信する。また、伝送装置２は、センタ装置４からセンタ装置４の伝送方式で送信された電文を、端末装置３の伝送方式に変換し、端末装置３に送信する。
【００４７】
伝送装置２は、上記の伝送方式の変換を、変換テーブルＴ１に基づいて行う。伝送方式とは、例えば、電文の送受信を行う伝送手順（プロトコル）である。また、伝送方式とは、伝送フォーマット、伝送速度、伝送コードのうちの少なくとも一つであってもよい。
【００４８】
［Ａ．変換テーブルＴ１の作成に関する動作］
伝送装置２は、上記の伝送方式の変換を、変換テーブルＴ１に基づいて行う。このため、伝送装置２は、変換テーブルＴ１の作成を行う。伝送装置２による変換テーブルＴ１の作成にかかる動作は、例えば、電力監視制御用伝送システム１の運転開始時等に行われる。また、伝送装置２による変換テーブルＴ１の作成にかかる動作は、一定時間周期にて実行され、変換テーブルＴ１は、一定時間周期で更新される。
【００４９】
電力監視制御用伝送システム１の伝送装置２は、図２に示すプログラムに従って変換テーブルＴ１の作成に関する動作を行う。以下に、伝送装置２の変換テーブルＴ１の作成にかかる動作を図２に示すプログラムに沿って説明する。図２に示すプログラムは、伝送装置２の制御部２４に内蔵される。図２に示すプログラムは、制御部２４により、周期的に繰り返し実行される。
【００５０】
（ステップＳ０１：伝送方式ｎにて端末装置３にテスト電文Ｍ１の送信を行う）
制御部２４は、伝送方式ｎ（ｎ＝１〜８）にて端末装置３にテスト電文Ｍ１の送信を行う。テスト電文Ｍ１は、返信を要求する電文である。最初に制御部２４は、伝送方式１「ＦＬ−ｎｅｔ」による伝送方式にて、端末装置３ａに対し、テスト電文Ｍ１の送信を行う。伝送装置２の記憶部２３には、予め伝送方式１〜８が設定され、記憶されている。
【００５１】
例えば、図４の「伝送方式名称」の欄に示すように、伝送方式１「ＦＬ−ｎｅｔ」、伝送方式２「ＰｒｏＦｉｂｕｓ」、伝送方式３「ＢＡＣｎｅｔ」、伝送方式４「ＣＣ−Ｌｉｎｋ」等の規格に基づいた伝送手順（プロトコル）が設定される。また、例えば、伝送方式５〜８として、Ａ社〜Ｄ社オリジナルの伝送手順（プロトコル）が設定される。
【００５２】
併せて伝送装置２の記憶部２３には、予めセンタ装置４の伝送方式が、伝送方式２「ＰｒｏＦｉｂｕｓ」による伝送方式であることが、設定され、記憶されている。
【００５３】
（ステップＳ０２：端末装置３から返信電文Ｍ２を受信したかの判断を行う）
次に、制御部２４は、送受信部２１が端末装置３ａから返信電文Ｍ２を受信したかの判断を行う。返信電文Ｍ２は、端末装置３ａから送信される、テスト電文Ｍ１を受信した旨を示す「ＡＣＫ（アクノレッジ）」等の電文である。
【００５４】
端末装置３ａは、ステップＳ０１にて送信されたテスト電文Ｍ１が、端末装置３の伝送方式と合致する伝送方式で送信された場合、返信電文Ｍ２を返信する。制御部２４は、端末装置３ａから返信電文Ｍ２受信した場合、ステップＳ０１にて送信したテスト電文Ｍ１にかかる伝送方式が、端末装置３の伝送方式であると判断する。
【００５５】
端末装置３ａから返信電文Ｍ２を受信したと判断した場合（ステップＳ０２のＹＥＳ）、プログラムは、ステップＳ０３に移行する。端末装置３から返信電文Ｍ２を受信したと判断しない場合（ステップＳ０３のＮＯ）、プログラムは、ステップＳ０３をスキップする。
【００５６】
（ステップＳ０３：端末装置３の伝送方式を変換テーブルＴ１に記憶させる）
ステップＳ０２にて端末装置３ａから返信電文Ｍ２を受信したと判断した場合、端末装置３の伝送方式を、図４に示すように、変換テーブルＴ１に記憶する。前述の通り、端末装置３ａは、ステップＳ０１にて送信されたテスト電文Ｍ１が、端末装置３ａの伝送方式と合致する伝送方式で送信された場合、返信電文Ｍ２を返信する。制御部２４は、端末装置３ａから返信電文Ｍ２受信した場合、ステップＳ０１にて送信したテスト電文Ｍ１にかかる伝送方式が、端末装置３の伝送方式であると判断する。
【００５７】
端末装置３ａの伝送方式は、伝送方式１「ＦＬ−ｎｅｔ」である。端末装置３ａは、ステップＳ０１にて伝送方式１「ＦＬ−ｎｅｔ」で送信されたテスト電文Ｍ１に応答し、返信電文Ｍ２を返信する。制御部２４は、ステップＳ０２にて、端末装置３ａから返信電文Ｍ２を受信する。このため、制御部２４は、端末装置３ａの伝送方式が、伝送方式１「ＦＬ−ｎｅｔ」であると判断し、図４に示すように、端末装置３の伝送方式が、伝送方式１「ＦＬ−ｎｅｔ」であることを、記憶部２３の変換テーブルＴ１に記憶させる。
【００５８】
制御部２４は、上記のステップＳ０１〜Ｓ０３の処理を、伝送方式１〜伝送方式８にて繰り返し実行する。つまり、初回の処理のステップＳ０１にて伝送方式１「ＦＬ−ｎｅｔ」でテスト電文Ｍ１を送信し、２回目の処理のステップＳ０１にて伝送方式２「ＰｒｏＦｉｂｕｓ」でテスト電文Ｍ１を送信する。同様に、３回目〜８回目の処理のステップＳ０１にて伝送方式３〜伝送方式８でテスト電文Ｍ１を送信する。
【００５９】
制御部２４は、端末装置３ａについて、伝送方式１〜伝送方式８で上記のステップＳ０１〜Ｓ０３の処理を行った後、端末装置３ｂ、３ｃについても同様の処理を行う。
【００６０】
端末装置３ｂの伝送方式は、伝送方式３「ＢＡＣｎｅｔ」である。端末装置３ｂは、ステップＳ０１にて伝送方式３「ＢＡＣｎｅｔ」で送信されたテスト電文Ｍ１に応答し、返信電文Ｍ２を返信する。
【００６１】
制御部２４は、ステップＳ０２にて端末装置３ｂの伝送方式を判別し、ステップＳ０３にて図４に示すように、端末装置３ｂの伝送方式が、伝送方式３「ＢＡＣｎｅｔ」であることを、記憶部２３の変換テーブルＴ１に記憶させる。
【００６２】
端末装置３ｃの伝送方式は、伝送方式８「Ｄ社オリジナル」である。端末装置３ｃは、ステップＳ０１にて伝送方式８「Ｄ社オリジナル」で送信されたテスト電文Ｍ１に応答し、返信電文Ｍ２を返信する。
【００６３】
制御部２４は、ステップＳ０２にて端末装置３ｃの伝送方式を判別し、ステップＳ０３にて図４に示すように、端末装置３ｃの伝送方式が、伝送方式８「Ｄ社オリジナル」であることを、記憶部２３の変換テーブルＴ１に記憶させる。
【００６４】
上記のように変換テーブルＴ１は作成され、記憶部２３に記憶される。制御部２４は、変換テーブルＴ１の作成に関する一連のプログラムを終了する。
【００６５】
［Ｂ．伝送方式の変換に関する動作］
前述の通り伝送装置２は、伝送方式の変換を、変換テーブルＴ１の作成に関する動作にかかるプログラムにより作成された変換テーブルＴ１に基づいて行う。伝送装置２は、端末装置３から端末装置３の伝送方式で送信された電文を、センタ装置４の伝送方式に変換し、センタ装置４に送信する。また、伝送装置２は、センタ装置４からセンタ装置４の伝送方式で送信された電文を、端末装置３の伝送方式に変換し、端末装置３に送信する。
【００６６】
電力監視制御用伝送システム１の伝送装置２は、図３に示すプログラムに従って伝送方式の変換に関する動作を行う。以下に、伝送装置２の伝送方式の変換に関する動作を図３に示すプログラムに沿って説明する。図３に示すプログラムは、伝送装置２の制御部２４に内蔵される。図３に示すプログラムは、制御部２４により、繰り返し実行される。
【００６７】
端末装置３は、電流、電圧、周波数、電力温度等の受変電設備６の状態を検出し、伝送装置２に、制御を要求する要求電文Ｍ３を送信する。受変電設備６の状態に応じ、要求電文Ｍ３は、端末装置３からランダムなタイミングにて送信される。
【００６８】
（ステップＳ１１：端末装置３から要求電文Ｍ３を受信したかの判断を行う）
制御部２４は、送受信部２１が端末装置３から要求電文Ｍ３を受信したかの判断を行う。受変電設備６（６ａ、６ｂ、６ｃ）の状態に応じた制御を要求する電文である。要求電文Ｍ３は、受変電設備６（６ａ、６ｂ、６ｃ）に接続された端末装置３（３ａ、３ｂ、３ｃ）から送信される。要求電文Ｍ３は、端末装置３（３ａ、３ｂ、３ｃ）の各伝送方式にて送信される。要求電文Ｍ３は、端末装置３ａから伝送方式１「ＦＬ−ｎｅｔ」で、端末装置３ｂから伝送方式３「ＢＡＣｎｅｔ」で、端末装置３ｃから伝送方式８「Ｄ社オリジナル」で送信される。
【００６９】
端末装置３（３ａ、３ｂ、３ｃ）から要求電文Ｍ３を受信したと判断した場合（ステップＳ１１のＹＥＳ）、プログラムは、ステップＳ１２に移行する。端末装置３から要求電文Ｍ３を受信したと判断しない場合（ステップＳ１１のＮＯ）、プログラムは、再びステップＳ１１に戻り、要求電文Ｍ３の受信待ち状態となる。
【００７０】
（ステップＳ１２：変換テーブルＴ１に基づき、伝送方式を変換する）
ステップＳ１１にて端末装置３（３ａ、３ｂ、３ｃ）から要求電文Ｍ３を受信したと判断した場合、制御部２４は、端末装置３が端末装置３ａ、３ｂ、３ｃのいずれであるかを判別し、図４に示す変換テーブルＴ１に基づき、受信した要求電文Ｍ３の伝送方式を特定する。
【００７１】
制御部２４は、受信した要求電文Ｍ３の伝送方式を、図４に示す変換テーブルＴ１に基づき、要求電文Ｍ３をセンタ装置４の伝送方式に変換する。ステップＳ１１にて受信した要求電文Ｍ３が端末装置３ａから送信されたものである場合、端末装置３ａから伝送方式１「ＦＬ−ｎｅｔ」で送信された要求電文Ｍ３は、センタ装置４の伝送方式である伝送方式２「ＰｒｏＦｉｂｕｓ」に変換される。
【００７２】
同様に要求電文Ｍ３が、端末装置３ｂから伝送方式３「ＢＡＣｎｅｔ」で、端末装置３ｃから伝送方式８「Ｄ社オリジナル」で送信されたものである場合、各要求電文Ｍ３は、伝送方式２「ＰｒｏＦｉｂｕｓ」に変換される。
【００７３】
（ステップＳ１３：センタ装置４に変換後の要求電文Ｍ３を送信する）
次に制御部２４は、ステップＳ１２にてセンタ装置４の伝送方式である伝送方式２「ＰｒｏＦｉｂｕｓ」に変換された要求電文Ｍ３を、送受信部２２を制御しセンタ装置４に送信する。伝送方式２「ＰｒｏＦｉｂｕｓ」に変換された要求電文Ｍ３を受信したセンタ装置４は、受変電設備６が受変電設備６ａ、６ｂ、６ｃのいずれであるかを判別し、状態に応じた指令電文Ｍ４を送信する。
【００７４】
（ステップＳ１４：センタ装置４から指令電文Ｍ４を受信したかの判断を行う）
制御部２４は、送受信部２２がセンタ装置４から指令電文Ｍ４を受信したかの判断を行う。指令電文Ｍ４は、受変電設備６（６ａ、６ｂ、６ｃ）の状態に応じた制御の指令を行う電文である。指令電文Ｍ４は、センタ装置４の伝送方式である伝送方式２「ＰｒｏＦｉｂｕｓ」でセンタ装置４から送信される。
【００７５】
センタ装置４から指令電文Ｍ４を受信したと判断した場合（ステップＳ１４のＹＥＳ）、プログラムは、ステップＳ１５に移行する。センタ装置４から指令電文Ｍ４を受信したと判断しない場合（ステップＳ１４のＮＯ）、プログラムは、再びステップＳ１４に戻り、指令電文Ｍ４の受信待ち状態となる。
【００７６】
（ステップＳ１５：変換テーブルＴ１に基づき、伝送方式を変換する）
ステップＳ１４にてセンタ装置４から指令電文Ｍ４を受信したと判断した場合、制御部２４は、受信した指令電文Ｍ４の伝送方式を、図４に示す変換テーブルＴ１に基づき、端末装置３の伝送方式に対応した伝送方式に変換する。ステップＳ１１にて受信した要求電文Ｍ３が端末装置３ａから送信されたものである場合、指令電文Ｍ４は、センタ装置４から伝送方式２「ＰｒｏＦｉｂｕｓ」で送信され、端末装置３ａの伝送方式である伝送方式１「ＦＬ−ｎｅｔ」に変換される。
【００７７】
同様に、ステップＳ１１にて受信した要求電文Ｍ３が、端末装置３ｂから伝送方式３「ＢＡＣｎｅｔ」で、送信されたものである場合、指令電文Ｍ４は、端末装置３ｂの伝送方式である伝送方式３「ＢＡＣｎｅｔ」に変換される。また、ステップＳ１１にて受信した要求電文Ｍ３が、端末装置３ｃから伝送方式８「Ｄ社オリジナル」で、送信されたものである場合、指令電文Ｍ４は、端末装置３ｃの伝送方式である伝送方式８「Ｄ社オリジナル」に変換される。
【００７８】
（ステップＳ１６：端末装置３に変換後の指令電文Ｍ４を送信する）
次に、制御部２４は、ステップＳ１５にて端末装置３の伝送方式に変換された指令電文Ｍ４を、送受信部２１を制御し端末装置３に送信する。
【００７９】
ステップＳ１１にて受信した要求電文Ｍ３が端末装置３ａから送信されたものである場合、センタ装置４から伝送方式２「ＰｒｏＦｉｂｕｓ」で送信された指令電文Ｍ４は、受変電設備６ａの制御の指令を行う電文である。端末装置３ａの伝送方式である伝送方式１「ＦＬ−ｎｅｔ」に変換された、受変電設備６ａの制御の指令を行う指令電文Ｍ４が、端末装置３ａに送信される。
【００８０】
同様に、ステップＳ１１にて受信した要求電文Ｍ３が端末装置３ｂから送信されたものである場合、センタ装置４から送信された指令電文Ｍ４は、受変電設備６ｂの制御の指令を行う電文である。端末装置３ｂの伝送方式である伝送方式３「ＢＡＣｎｅｔ」に変換された、受変電設備６ｂの制御の指令を行う指令電文Ｍ４が、端末装置３ｂに送信される。
【００８１】
また、ステップＳ１１にて受信した要求電文Ｍ３が端末装置３ｃから送信されたものである場合、センタ装置４から送信された指令電文Ｍ４は、受変電設備６ｃの制御の指令を行う電文である。端末装置３ｃの伝送方式である伝送方式８「Ｄ社オリジナル」に変換された、受変電設備６ｃの制御の指令を行う指令電文Ｍ４が、端末装置３ｃに送信される。
【００８２】
その後、制御部２４は、伝送方式の変換に関する一連のプログラムを終了する。以上が、本実施形態にかかる電力監視制御用伝送システム１の動作である。本実施形態によれば、端末装置３から送信された電文が、伝送装置２により、センタ装置４の伝送方式に変換されセンタ装置４に送信され、センタ装置４から送信された電文が、伝送装置２により、端末装置３の伝送方式に変換され端末装置３に送信される。その結果、異なる伝送方式にて伝送を行うセンタ装置４と端末装置３との間の伝送が可能となる。
【００８３】
［１−３．効果］
（１）本実施形態によれば、電力監視制御用伝送システム１の伝送装置２は、第１の送受信部２１から端末装置３に、複数の伝送方式でテスト電文を送信する第１の送信処理と、第１の送信処理により複数の伝送方式で送信されたテスト電文の少なくとも一つに応答した、端末装置３から送信された返信電文を、第１の送受信部２１により受信する第１の受信処理と、第１の受信処理にて受信した、返信電文を送信した端末装置３の伝送方式と、端末装置３とを関連付けて記憶する変換テーブルを作成するテーブル作成処理と、を実行する制御部２４を有するので、センタ装置４に内蔵されたプログラムの変更を行うことなく、異なる伝送方式を有する端末装置３と送受信を行うことができる電力監視制御用伝送システム１、伝送装置２、伝送装置用プログラムおよび伝送方法を提供することができる。
【００８４】
（２）本実施形態によれば、伝送装置２の制御部２４により変換テーブルＴ１が作成され、記憶部２３に記憶されるので、変換テーブルＴ１に基づき、端末装置３から送信された電文が、伝送装置２により、センタ装置４の伝送方式に変換されセンタ装置４に送信され、センタ装置４から送信された電文が、伝送装置２により、端末装置３の伝送方式に変換され端末装置３に送信される。その結果、異なる伝送方式にて伝送を行うセンタ装置４と端末装置３との間の伝送が可能となる。
【００８５】
（３）本実施形態によれば、第１の送信処理にかかるステップＳ０１、第１の受信処理にかかるステップＳ０２、およびテーブル作成処理にかかるステップＳ０３は周期的に実行され、変換テーブルＴ１は、周期的に更新される。このため、端末装置３が新設された場合、端末装置３が更新され伝送方式が変更となった場合でも、人手による伝送方式の設定変更が不要であり、迅速に伝送方式の変更に対応することができる。また、人手による伝送方式の設定変更が不要であるため、電力監視制御用伝送システム１の工事にかかる停止時間を軽減することができる。
【００８６】
（４）本実施形態によれば、変換テーブルＴ１に記憶される伝送方式は、伝送プロトコルであるので、多種の伝送方式を有する端末装置３に対応した電力監視制御用伝送システム１、伝送装置２、伝送装置用プログラムおよび伝送方法を提供することができる。
【００８７】
（５）本実施形態によれば、変換テーブルＴ１に記憶される伝送方式は、伝送フォーマット、伝送速度、伝送コードのうちの少なくとも一つであるので、多種の伝送形式を有する端末装置３に対応した電力監視制御用伝送システム１、伝送装置２、伝送装置用プログラムおよび伝送方法を提供することができる。
【００８８】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００８９】
（１）上記実施形態では、電力監視制御用伝送システム１は、３台の端末装置３を有するものとしたが、端末装置３の台数はこれに限られない。電力監視制御用伝送システム１は、１〜２台または４台以上の端末装置３を有するものであってもよい。
【００９０】
（２）上記実施形態では、テスト電文Ｍ１は、返信を要求する電文であるものとしたが、テスト電文Ｍ１は、これに限られない。テスト電文Ｍ１は、例えば、制御指令を含む電文であってもよい。
【００９１】
（３）上記実施形態では、端末装置３ａに関する変換テーブルＴ１の作成動作の終了後に、順に端末装置３ｂ、３ｃに関する変換テーブルＴ１の作成動作を行うものとしたが、変換テーブルＴ１の作成動作の順序はこれに限られない。例えば、端末装置３ａ、３ｂ、３ｃに同時にテスト電文Ｍ１が送信され、端末装置３ａ、３ｂ、３ｃに関する変換テーブルＴ１作成動作が並行して行われるようにしてもよい。
【００９２】
（４）上記実施形態では、変換テーブルＴ１に設定された伝送方式は、伝送方式１〜伝送方式８にかかる伝送手順（プロトコル）であるものとしたが、変換テーブルＴ１に設定される伝送方式は、これに限られない。変換テーブルＴ１に設定される伝送方式は、その他の伝送手順であってもよいし、伝送フォーマット、伝送速度、伝送コードであってもよい。また、変換テーブルＴ１に設定される伝送方式は、８方式でなくてもよい。変換テーブルＴ１に設定される伝送方式の数量は、任意の数量であってよい。
【符号の説明】
【００９３】
１・・・電力監視制御用伝送システム
２・・・伝送装置
３、３ａ、３ｂ、３ｃ・・・端末装置
４・・・センタ装置
６、６ａ、６ｂ、６ｃ・・・受変電設備
８、９、９ａ、９ｂ、９ｃ・・・伝送線
２１・・・送受信部
２２・・・送受信部
２３・・・記憶部
２４・・・制御部
【図１】
2019121943.tif 000003
【図２】
2019121943.tif 000004
【図３】
2019121943.tif 000005
【図４】
2019121943.tif 000006